【手続補正書】
【提出日】平成20年5月8日(2008.5.8)
【手続補正１】
【補正対象書類名】特許請求の範囲
【補正対象項目名】全文
【補正方法】変更
【補正の内容】
【特許請求の範囲】
【請求項１】
被写体像を連続撮像して複数の画像データを取得する撮像手段と、
この撮像手段によって取得された画像データにおける複数の被写体像の速度を、それぞれ検出する速度検出手段と、
前記画像データにおける複数の被写体像のうち、前記速度検出手段によって検出された速度が最も小さい被写体像を、メイン被写体像として特定する特定手段と、
この特定手段によって特定されたメイン被写体像を基準として、前記撮像手段によって取得された複数の画像データを合成する画像処理手段と
を具備したことを特徴とする撮像装置。
【請求項２】
第１の撮影モードと第２の撮影モードとを含む撮影モードを設定するモード設定手段と、
前記特定手段は、
前記モード設定手段によって第１の撮影モードが設定された場合に、前記各画像データにおける複数の被写体像のうち、前記動き検出手段によって検出された速度が最も小さい被写体像を、メイン被写体像として特定し、
前記モード設定手段によって第２の撮影モードが設定された場合に、前記各画像データにおける複数の被写体像のうち、前記動き検出手段によって検出された速度が最も大きい被写体像を、メイン被写体像として特定することを特徴とする請求項１記載の撮像装置。
【請求項３】
前記モード設定手段は、
前記第１の撮影モードと前記第２の撮影モードと第３の撮影モードとを含む撮影モードを設定し、
前記特定手段は、
前記モード設定手段によって第３の撮影モードが設定された場合に、前記各画像データにおける複数の被写体像のうち、撮影範囲における所定の領域に最も近い被写体像をメイン被写体像として特定することを特徴とする請求項２記載の撮像装置。
【請求項４】
前記撮像手段は、１回の撮像における露光時間を所定時間よりも短く設定して連続撮像を行い、
前記画像処理手段は、前記撮像手段によって得られた複数の画像データを重ね合わせたときに、少なくとも前記メイン被写体像の各画素の値を適正な値に補正することを特徴とする請求項１乃至３のいずれか１項に記載の撮像装置。
【請求項５】
前記撮像手段によって複数の画像データが取得される時間間隔を任意に設定する間隔設定手段を具備したことを特徴とする請求項１乃至４のいずれか１項に記載の撮像装置。
【請求項６】
前記画像処理手段による合成に用いる画像データの枚数を任意に設定する枚数設定手段を具備したことを特徴とする請求項１から５記載いずれか１項に記載の撮像装置。
【請求項７】
連続撮像された複数の画像データを取得する取得ステップと、
この撮像ステップにおいて得られた画像データにおける複数の被写体像の速度を、それぞれ検出する速度検出ステップと、
前記画像データにおける複数の被写体像のうち、前記速度検出において検出された速度が最も小さい被写体像を、メイン被写体像として特定する特定ステップと、
この特定ステップにおいて特定されたメイン被写体像を基準として、前記撮像ステップにおいて取得された複数の画像データを合成する画像処理ステップと
を含むことを特徴とする画像処理方法。
【請求項８】
被写体像を連続撮像して複数の画像データを取得する撮像手段を備えるコンピュータを、
前記撮像手段によって所得された画像データにおける複数の被写体像の速度を、それぞれ検出する速度検出手段、
前記画像データにおける複数の被写体像のうち、前記速度検出手段によって検出された速度が最も小さい被写体像を、メイン被写体像として特定する特定手段、
この特定手段によって特定されたメイン被写体像を基準として、前記撮像手段によって取得された複数の画像データを合成する画像処理手段、
として機能させるためのプログラム。
【手続補正２】
【補正対象書類名】明細書
【補正対象項目名】０００７
【補正方法】変更
【補正の内容】
【０００７】
請求項１記載の発明は、被写体像を連続撮像して複数の画像データを取得する撮像手段と、この撮像手段によって取得された画像データにおける複数の被写体像の速度を、それぞれ検出する速度検出手段と、前記画像データにおける複数の被写体像のうち、前記速度検出手段によって検出された速度が最も小さい被写体像を、メイン被写体像として特定する特定手段と、この特定手段によって特定されたメイン被写体像を基準として、前記撮像手段によって取得された複数の画像データを合成する画像処理手段とを具備して構成される。
【手続補正３】
【補正対象書類名】明細書
【補正対象項目名】０００８
【補正方法】変更
【補正の内容】
【０００８】
請求項２記載の発明は、請求項１記載の発明において、第１の撮影モードと第２の撮影モードとを含む撮影モードを設定するモード設定手段と、前記特定手段は、前記モード設定手段によって第１の撮影モードが設定された場合に、前記各画像データにおける複数の被写体像のうち、前記動き検出手段によって検出された速度が最も小さい被写体像を、メイン被写体像として特定し、前記モード設定手段によって第２の撮影モードが設定された場合に、前記各画像データにおける複数の被写体像のうち、前記動き検出手段によって検出された速度が最も大きい被写体像を、メイン被写体像として特定することを特徴とする。
【手続補正４】
【補正対象書類名】明細書
【補正対象項目名】０００９
【補正方法】変更
【補正の内容】
【０００９】
請求項３記載の発明は、請求項２記載の発明において、前記モード設定手段は、前記第１の撮影モードと前記第２の撮影モードと、第３の撮影モードとを含む撮影モードを設定し、前記特定手段は、前記モード設定手段によって第３の撮影モードが設定された場合に、前記各画像データにおける複数の被写体像のうち、撮影範囲における所定の領域に最も近い被写体像をメイン被写体像として特定することを特徴とする。
【手続補正５】
【補正対象書類名】明細書
【補正対象項目名】００１０
【補正方法】変更
【補正の内容】
【００１０】
請求項４記載の発明は、請求項１から３いずれか１項に記載の発明において、前記撮像手段は、１回の撮像における露光時間を所定時間よりも短く設定して連続撮像を行い、前記画像処理手段は、前記撮像手段によって得られた複数の画像データを重ね合わせたときに、少なくとも前記メイン被写体像の各画素の値を適正な値に補正することを特徴とする。
【手続補正６】
【補正対象書類名】明細書
【補正対象項目名】００１１
【補正方法】変更
【補正の内容】
【００１１】
請求項５記載の発明は、請求項１から４いずれか１項に記載の発明において、前記撮像手段によって複数の画像データが取得される時間間隔を任意に設定する間隔設定手段を具備したことを特徴とする。
【手続補正７】
【補正対象書類名】明細書
【補正対象項目名】００１２
【補正方法】変更
【補正の内容】
【００１２】
請求項６記載の発明は、請求項１から５いずれか１項に記載の発明において、前記画像処理手段による合成に用いる画像データの枚数を任意に設定する枚数設定手段を具備したことを特徴とする。
【手続補正８】
【補正対象書類名】明細書
【補正対象項目名】００１３
【補正方法】変更
【補正の内容】
【００１３】
請求項７記載の発明は、連続撮像された複数の画像データを取得する取得ステップと、この撮像ステップにおいて得られた画像データにおける複数の被写体像の速度を、それぞれ検出する速度検出ステップと、前記画像データにおける複数の被写体像のうち、前記速度検出において検出された速度が最も小さい被写体像を、メイン被写体像として特定する特定ステップと、この特定ステップにおいて特定されたメイン被写体像を基準として、前記撮像ステップにおいて取得された複数の画像データを合成する画像処理ステップとを含むことを特徴とする。
【手続補正９】
【補正対象書類名】明細書
【補正対象項目名】００１４
【補正方法】変更
【補正の内容】
【００１４】
請求項８記載の発明は、被写体像を連続撮像して複数の画像データを取得する撮像手段を備えるコンピュータを、前記撮像手段によって所得された画像データにおける複数の被写体像の速度を、それぞれ検出する速度検出手段、前記画像データにおける複数の被写体像のうち、前記速度検出手段によって検出された速度が最も小さい被写体像を、メイン被写体像として特定する特定手段、この特定手段によって特定されたメイン被写体像を基準として、前記撮像手段によって取得された複数の画像データを合成する画像処理手段、として機能させる。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】